(57)【要約】【課題】  本発明は、小形で安全な配線用遮断器のシャッタ装置を提供することを目的とする。【解決手段】  左右方向に平行配置された３本の電源用ブスバーの前方に配置され、ブスバーに直接接続されるように背面の左上部から右下部へ階段状に３個のクリップ端子を有する配線用遮断器とブスバーとの間に設けられるシャッタ装置において、配線用遮断器の３個のクリップ端子に対応して左上部から右下部へ階段状に形成された３箇所の孔を有し、ブスバーの前方に固定される充電部カバーと、充電部カバーに沿って左右方向にスライド自在に保持されるとともに左方向へスライドさせたとき充電部カバーの左上部の孔と中間部の孔に一致する２個の孔と右下の孔の左縁に沿う右端縁を有するシャッタ板と、シャッタ板を右方向へ付勢するばねとを備える。【選択図】  図６
2006166510.tif 000002
【特許請求の範囲】
【請求項１】
左右方向に平行配置された３本の電源用ブスバーの前方に配置され、前記ブスバーに直接接続されるように背面の左上部から右下部へ階段状に３個のクリップ端子を有する配線用遮断器と前記ブスバーとの間に設けられるシャッタ装置において、
前記配線用遮断器の３個のクリップ端子に対応して左上部から右下部へ階段状に形成された３箇所の孔を有し、前記ブスバーの前方に固定される充電部カバーと、
前記充電部カバーに沿って左右方向にスライド自在に保持されるとともに左方向へスライドさせたとき前記充電部カバーの左上部の孔と中間部の孔に一致する２個の孔と右下の孔の左縁に沿う右端縁を有するシャッタ板と、
前記シャッタ板を右方向へ付勢するばねと
を備えたことを特徴とする配線用遮断器のシャッタ装置。
【発明の詳細な説明】
【技術分野】
【０００１】
本発明は、配電盤に設けられたブスバーに直接接続するクリップ端子を有する配線用遮断器のシャッタ装置に係り、特に配線用遮断器が取り外されたときに自動的に充電部であるブスバーを覆って感電事故を防止するシャッタ装置に関する。
【背景技術】
【０００２】
クリップ端子を有する配線用遮断器及びこの配線用遮断器を含む配電盤の従来の技術がＷＯ０１／７６０３１号公報に開示されている。この配電盤には、三相のブスバーが、互いに平行して、かつ、巾方向が配電盤の正面側から奥側に向き、長手方向が垂直方向になるように配電盤の裏面板に設けられている。さらに、この配電盤はブスバーを正面から視認できるような開口部がある遮断器取付板を裏面板と対向するように備えている。
【０００３】
配線用遮断器は、クリップ端子を裏面に備えたもので、取付に際して、遮断器取付板に形成されている開口部からクリップ端子を挿入させる。この移動中に、クリップ端子の端子板の先端付近に位置する接触部がブスバーの長手方向の端縁と接触し、接圧ばねの作用に抗して対向間隔を広げながらブスバーの端縁を摺動する。そして、接触部がブスバーの平面部に達して安定した接触が得られる。この状態になったとき、配線用遮断器はその取付面が遮断器取付板に達しており、ねじで遮断器取付板に固定できる構造となっている。
このような配電盤は、配線用遮断器を取り外すと遮断器取付板の開口部に充電部であるブスバーが露出するという問題があった。このような問題を解決するためにシャッタ装置が設けられることがあり、遮断器等の配電盤に取り付けられる機器に対応するシャッタ装置の従来の技術が特開平７−３２２４２１号公報に開示されている。このシャッタ装置は、３極形の引出しユニットに対するもので、左右方向に一列に並んだ３個の固定電極の前方に３箇所の孔が形成された絶縁カバーが取り付けられ、この絶縁カバーに沿ってスライドする３箇所の孔が形成されたシャッタ板を有する。
【特許文献１】ＷＯ０１／７６０３１号公報
【特許文献２】特開平７−３２２４２１号公報
【発明の開示】
【発明が解決しようとする課題】
【０００４】
しかし、上述した従来のシャッタ装置は、３箇所の孔を有するシャッタ板を設ける必要があったため、全体寸法が大きくなるという問題があった。
したがって、本発明の課題は、上記の問題を解決できる小形で安全な配線用遮断器のシャッタ装置を提供することにある。
【課題を解決するための手段】
【０００５】
上記の課題を解決するために、本発明は、左右方向に平行配置された３本の電源用ブスバーの前方に配置され、ブスバーに直接接続されるように背面の左上部から右下部へ階段状に３個のクリップ端子を有する配線用遮断器とブスバーとの間に設けられるシャッタ装置において、配線用遮断器の３個のクリップ端子に対応して左上部から右下部へ階段状に形成された３箇所の孔を有し、ブスバーの前方に固定される充電部カバーと、充電部カバーに沿って左右方向にスライド自在に保持されるとともに左方向へスライドさせたとき充電部カバーの左上部の孔と中間部の孔に一致する２個の孔と右下の孔の左縁に沿う右端縁を有するシャッタ板と、シャッタ板を右方向へ付勢するばねとを備えることとしている。
【発明の効果】
【０００６】
本シャッタ装置を備えることにより、シャッタ板の摺動スペースが縮小されるので、配電盤の巾寸法の小形化をはかることができる。
また、容量変更等で配線用遮断器を交換する際、遮断器を取り外したときに自動的に充電部であるブスバーを覆うので、感電事故を防止することができる。
さらに、安全確保のために主幹の電源を切り、その配電系統を全停電にする必要はなく、交換する回路のみの停電で済ますことができるという効果を奏する。
【発明を実施するための最良の形態】
【０００７】
本発明の実施の形態を、図１ないし図６に示されている実施例において説明する。
図１及び図２は、本実施例のシャッタ装置を組み込んで３極形の配線用遮断器１を取り付けた配電盤２を正面から見た部分図及び図１のＡ−Ａから見た図である。
配電盤２には、配線用遮断器１を取り付けたときそのクリップ端子９が接触する、ブスバー１２が設けられている。３本のブスバー１２は、板厚がＴの長い平板状で、その巾方向が配電盤の正面側から奥側（図２において上下方向）に向くとともに、図１において長手方向が上下方向になるようにブスバーサポート１３を介して配電盤２の裏面板２ａに取り付けられている。このように取り付けられた３本のブスバー１２は、取付ピッチがＰなるように互いに平行であるとともに、それぞれの端縁１２ｄが同一平面Ｈ−Ｈに位置している。
また、この配電盤２には裏面板２ａと対向する遮断器取付板２ｂが設けられており、遮断器取付板２ｂは、図１においてブスバー１２が見えるように縦に長い開口部２ｃが形成されている。配線用遮断器１は電源側の端子５と負荷側の端子６を結ぶ線がブスバー１２と直交するように配置され、それぞれ２本のねじ１６によって遮断器取付板２ｂに固定されている。
【０００８】
一方、配線用遮断器１は遮断器本体３と端子ベース４とからなり、遮断器本体３は電源側の端子５、電源側の端子５と同極の負荷側の端子６及び内蔵される開閉接触子を開閉操作するハンドル７を備える。端子ベース４は遮断器本体３の裏面に配置され、２本のねじ８によって遮断器本体３と一体となっている。成形絶縁物製の端子ベース４の裏面には、図３において左右方向にピッチＰ、上下方向に遮断器本体３の電源側端子５の配列ピッチに相当するピッチで、すなわち正面から見たとき階段状に位置する３個の突起が形成され、その内部にクリップ端子９が設けられている。クリップ端子９は、ねじ１０によってそれぞれ各極に対応して端子ベース４に固定されている図示しない導体に取り付けられており、この導体を介してそれぞれ電源側の端子５に接続されている。
【０００９】
次に、本実施例のシャッタ装置の構成部品について説明する。
図４は図１の配線用遮断器１が取り付けられているときのシャッタ装置の状態を、配線用遮断器１を省略して示した正面から見た図であって、シャッタ板１８が左方に移動して、充電部カバー１７の挿入孔１７ａ，１７ｂ，１７ｃは開いている。
【００１０】
図４において、充電部カバー１７は、端子ベース４のクリップ端子９に対応して階段状に配置された３箇所の挿入孔１７ａ，１７ｂ，１７ｃを有し、配電盤２の開口部２ｃを覆うように、遮断器取付板２ｂにねじ１５で取り付けられている。
【００１１】
シャッタ板１８は、充電部カバー１７の背面に設けられ、摺動して挿入孔１７ａ，１７ｂ，１７ｃを開閉するもので、摺動するときのガイドとなる左右方向に伸びる長孔を２箇所に有している。シャッタ板１８は、この長孔を通してガイドピン１４を充電部カバー１７にかしめることにより、摺動自在に保持されている。
シャッタ板１８には、本来充電部カバー１７の３箇所の挿入孔１７ａ，１７ｂ，１７ｃに対応して、３箇所の挿入孔が設けられるところであるが、充電部カバー１７の第３の挿入孔１７ｃに対応する挿入孔が省略され、その手前で切断されたような形状になっており、２箇所の挿入孔１８ａ，１８ｂだけが設けられている。すなわち、シャッタ板１８の右端縁１８ｄが充電部カバー１７の第３の挿入孔１７ｃの左縁に沿うように位置しているため、クリップ端子９の挿入が可能となっている。このような形状にすることにより、シャッタ板１８の摺動スペースが縮小されるので、配電盤２の巾寸法の小形化をはかることができる。
また、シャッタ板１８には、充電部カバー１７の中央の挿入孔１７ｂから正面側に突出するように折り曲げ部１８ｃが形成されている。この折り曲げ部１８ｃは、配線用遮断器１を取り付けるときに、端子ベース４の中央の突起で左方に押して挿入孔を開くためのものであり、挿入孔１７ｂの左右の縁に当接することにより、シャッタ板１８の摺動距離を規制するストッパを兼ねている。
さらに、シャッタ板１８は、復帰ばね１９により閉鎖方向に付勢されているので、配線用遮断器１を取り外したときには、自動的に挿入孔１７ａ，１７ｂ，１７ｃを閉鎖するようになっている。
【００１２】
図５は本発明によるシャッタ装置の実施例を組み込んだ配電盤に配線用遮断器を装着する直前の状態を示す図である。また、図６は図５のＣ−Ｃから見た図で、復帰ばね１９の作用によりシャッタ板１８が充電部カバー１７の挿入孔１７ａ，１７ｂ，１７ｃを閉じている状態を示している。
【００１３】
配線用遮断器１を配電盤２に装着するときは、図５及び図６を参照して、まず端子ベース４の中央の突起で、シャッタ板１８の折り曲げ部１８ｃを復帰ばね１９の作用に抗して左方に押して挿入孔１７ａ，１７ｂ，１７ｃを開く。シャッタ板１８がストッパで係止したときに配線用遮断器１を挿入するとブスバー１２に接続される。この状態で遮断器取付板２ｂにねじ１６で取り付ける。
【００１４】
このような構成の配線用遮断器のシャッタ装置は、遮断器取付板２ｂの開口部２ｃを覆う、クリップ端子９のみが挿入できる挿入孔１７ａ，１７ｂ，１７ｃを設けた充電部カバー１７と、摺動する電気絶縁性を有するシャッタ板１８を組み合わせ、配線用遮断器１が取り外された際には、シャッタ板１８が復帰ばね１９の力で挿入孔１７ａ，１７ｂ，１７ｃを自動的に閉じるので、作業者の手や指が充電部であるブスバー１２に触れることはない。
また、装着するときには、その装着動作で挿入孔１７ａ，１７ｂ，１７ｃが開かれるので、作業者の手や指が充電部であるブスバー１２に触れることはない。
【図面の簡単な説明】
【００１５】
【図１】本発明によるシャッタ装置の実施例を組み込んで３極形の配線用遮断器を取り付けた配電盤を正面から見た部分図である。
【図２】図１のＡ−Ａから見た図である。
【図３】図１の配線用遮断器を図２のＢから見た図である。
【図４】図１において配線用遮断器の図示を省略した図である。
【図５】本発明によるシャッタ装置の実施例を組み込んだ配電盤に配線用遮断器を装着する直前の状態を示す図である。
【図６】図５のＣ−Ｃから見た図である。
【符号の説明】
【００１６】
１  配線用遮断器
２  配電盤
２ａ  裏面板
２ｂ  遮断器取付板
２ｃ  開口部
３  遮断器本体
４  端子ベース
５  電源側の端子
６  負荷側の端子
７  ハンドル
８  ねじ
９  クリップ端子
１０  ねじ
１２  ブスバー
１３  ブスバーサポート
１４  ガイドピン
１５  ねじ
１６  ねじ
１７  充電部カバー
１７ａ，１７ｂ，１７ｃ  挿入孔
１８  シャッタ板
１８ａ，１８ｂ  挿入孔
１８ｃ  折り曲げ部
１８ｄ  右端縁
１９  復帰ばね
【図１】
2006166510.tif 000003
【図２】
2006166510.tif 000004
【図３】
2006166510.tif 000005
【図４】
2006166510.tif 000006
【図５】
2006166510.tif 000007
【図６】
2006166510.tif 000008